(57)【要約】【課題】上方側から耐火材が目視されず、掃除も容易な層間耐火材支持具を提供する。【解決手段】本発明に係る層間耐火材支持具は、床部２の端面３と当該床部２の端面３と対向する壁４の壁面５との間の間隙６に設置される層間耐火材支持具１であって、耐火材７が収容される耐火材収容部８と、取付部１９とを備え、耐火材収容部８は、床部２の端面３の長手方向に沿って延長して間隙６の上側開口を塞ぐとともに耐火材７の上側を覆う覆い部１０と、覆い部１０の長手方向と直交する方向の一端側より壁面５に沿って下方に延長した後に床部２の端面３に向けて延長するように設けられて耐火材７を支持する支持部２０とを備え、覆い部１０の長手方向と直交する方向の他端側が取付部１９として床部２の上面２ｔに載置されて床部２に取付けられた構成とした。【選択図】図１
2020139268.tif 000002
【特許請求の範囲】
【請求項１】
床部の端面と当該床部の端面と対向する壁の壁面との間の間隙に設置される層間耐火材支持具であって、
耐火材が収容される耐火材収容部と、取付部とを備え、
耐火材収容部は、
床部の端面の長手方向に沿って延長して間隙の上側開口を塞ぐとともに耐火材の上側を覆う覆い部と、
覆い部の長手方向と直交する方向の一端側より壁面に沿って下方に延長した後に床部の端面に向けて延長するように設けられて耐火材を支持する支持部とを備え、
覆い部の長手方向と直交する方向の他端側が取付部として床部の上面に載置されて床部に取付けられたことを特徴とする層間耐火材支持具。
【請求項２】
床部の端面と当該床部の端面と対向する壁の壁面との間の間隙に設置される層間耐火材支持具であって、
耐火材が収容される耐火材収容部と、取付部とを備え、
耐火材収容部は、
床部の端面の長手方向に沿って延長して間隙の上側開口を塞ぐとともに耐火材の上側を覆う覆い部と、
覆い部の長手方向と直交する方向の一端側より床部の端面に沿って下方に延長した後に壁面に向けて延長するように設けられて耐火材を支持する支持部とを備え、
覆い部の長手方向と直交する方向の他端側が取付部として壁に取付けられたことを特徴とする層間耐火材支持具。
【請求項３】
覆い部の板面と床部の上面とが同一水平面上又はほぼ同一水平面上に位置されることを特徴とする請求項１又は請求項２に記載の層間耐火材支持具。
【請求項４】
覆い部が、床部の端面及び上面よりも上方に位置されることを特徴とする請求項１又は請求項２に記載の層間耐火材支持具。
【請求項５】
耐火材収容部は、支持部の延長端と覆い部との間に開口が形成されたことを特徴とする請求項１乃至請求項４のいずれか一項に記載の層間耐火材支持具。
【請求項６】
耐火材収容部は、支持部の延長端が覆い部に接触又は接続されたことを特徴とする請求項１乃至請求項４のいずれか一項に記載の層間耐火材支持具。
【発明の詳細な説明】
【技術分野】
【０００１】
本発明は、床部の端面と当該床部の端面と対向する壁の壁面との間の間隙に設置される層間耐火材支持具に関する。
【背景技術】
【０００２】
床部の端面と当該床部の端面と対向する壁の壁面との間の間隙（層間）に設置される層間耐火材支持具が知られている（特許文献１参照）。
当該層間耐火材支持具は、床スラブ（床部）の上面から端面に垂下するハンガー部を床スラブの端面の長手方向に沿って間欠的に複数個設けて、各ハンガー部に隙間をふさぐ金属製板材を掛け渡し、当該金属製板材の上に耐火材が載置されて構成される。
【先行技術文献】
【特許文献】
【０００３】
【特許文献１】特開２０１０−２６１２３２号公報
【発明の概要】
【発明が解決しようとする課題】
【０００４】
上述した層間耐火材支持具は、各ハンガーの設置作業と金属製板材の設置作業とを別々に行う組立式であり、設置作業が煩わしいだけでなく、各ハンガーと金属製板材とが固定されていないため、振動時等の床部や壁の動きに追従できず（床部や壁の動きに伴って間隙（層間）が縮まる場合、金属製板材が上方に移動してしまう）、脆弱な構成となってしまう。
また、層間耐火材支持具の上方側から耐火材が目視されてしまうため、見栄えの面での課題があるだけでなく、耐火材の上にゴミや埃が溜まった場合など、掃除がし難く、見栄えをさらに悪化させやすいという問題もあった。また、耐火材が目視されないように、耐火材の上側に表面材としてアルミテープ等のテープを貼り付けることも行われているが、この場合、テープが波打って（しわが寄る）貼られてしまうため、見栄えが悪く、さらに、テープの上に埃などが溜まった場合に掃除がし難く、また、落下物等によりテープが破れてしまう等の様々な課題があった。
本発明は、設置の際の作業性、床部や壁の動きに対する追従性、強度、見栄え、掃除の容易性において優れた層間耐火材支持具を提供するものである。
【課題を解決するための手段】
【０００５】
本発明に係る層間耐火材支持具は、床部の端面と当該床部の端面と対向する壁の壁面との間の間隙に設置される層間耐火材支持具であって、耐火材が収容される耐火材収容部と、取付部とを備え、耐火材収容部は、床部の端面の長手方向に沿って延長して間隙の上側開口を塞ぐとともに耐火材の上側を覆う覆い部と、覆い部の長手方向と直交する方向の一端側より壁面に沿って下方に延長した後に床部の端面に向けて延長するように設けられて耐火材を支持する支持部とを備え、覆い部の長手方向と直交する方向の他端側が取付部として床部の上面に載置されて床部に取付けられたことを特徴とする。
また、本発明に係る層間耐火材支持具は、床部の端面と当該床部の端面と対向する壁の壁面との間の間隙に設置される層間耐火材支持具であって、耐火材が収容される耐火材収容部と、取付部とを備え、耐火材収容部は、床部の端面の長手方向に沿って延長して間隙の上側開口を塞ぐとともに耐火材の上側を覆う覆い部と、覆い部の長手方向と直交する方向の一端側より床部の端面に沿って下方に延長した後に壁面に向けて延長するように設けられて耐火材を支持する支持部とを備え、覆い部の長手方向と直交する方向の他端側が取付部として壁に取付けられたことを特徴とする。
本発明に係る層間耐火材支持具によれば、設置の際の作業性、床部や壁の動きに対する追従性、強度において優れた層間耐火材支持具を提供できる。また、覆い部を備えているため、上方側から耐火材が目視されず、見栄えを向上でき、かつ、掃除も容易な層間耐火材支持具を提供できる。
また、覆い部の板面と床部の上面とが同一水平面上又はほぼ同一水平面上に位置されることを特徴とするので、見栄えの良好な見切り材として機能させることができるようになるとともに、掃除もより容易になる。
また、覆い部が、床部の端面及び上面よりも上方に位置されることを特徴とするので、覆い部を巾木のように機能させることができる。
また、耐火材収容部は、支持部の延長端と覆い部との間に開口が形成されたことを特徴とするので、当該開口を介して耐火材を耐火材収容部の収容空間に容易に挿入することができ、耐火材収容部に耐火材が収容された層間耐火材部材を容易に製作できるようになる。
また、耐火材収容部は、支持部の延長端が覆い部に接触又は接続されたことを特徴とするので、耐火材に火が直接届き難くなるので、耐火性能を向上できる。
【図面の簡単な説明】
【０００６】
【図１】間隙に設置された層間耐火材部材（層間耐火材支持具＋耐火材）の断面図（実施形態１）。
【図２】（ａ）層間耐火材部材の分解斜視図、（ｂ）は層間耐火材部材が間隙に設置される前の状態を示す斜視図、（ｃ）は層間耐火材部材が間隙に設置された状態を示す斜視図（実施形態１）。
【図３】間隙に設置された層間耐火材部材の断面図（実施形態２）。
【図４】間隙に設置された層間耐火材部材の断面図（実施形態３）。
【図５】間隙に設置された層間耐火材部材の断面図（実施形態４）。
【図６】間隙に設置された層間耐火材部材の断面図（実施形態５）。
【図７】層間耐火材部材の断面図（実施形態６）。
【図８】層間耐火材部材の断面図（実施形態６）。
【図９】層間耐火材部材の断面図（実施形態６）。
【発明を実施するための形態】
【０００７】
実施形態１
図１に示すように、実施形態１に係る層間耐火材支持具１は、床部２の端面３と当該床部２の端面３と対向する壁４の壁面５との間の間隙６に設置される床部２の端面３の長手方向（図１の紙面と直交する方向）に沿って長尺な部材であり、耐火材７を収容する耐火材収容部８と、床部２への取付部１９とを備える。
当該層間耐火材支持具１と、当該層間耐火材支持具１の耐火材収容部８に収容された耐火材７とにより、層間耐火材部材９が構成される。
【０００８】
床部２は、例えばデッキプレート上にコンクリートを打設して構成される床スラブ、床パネル等である。
壁４は、例えばカーテンウォールパネルなどの壁パネル等である。
間隙６は、例えば高層建築物において採用される外壁構法により構築される壁パネル（壁４）の壁面（内壁面）５と当該壁面５と対向する床スラブ（床部２）の端面３との間の間隙６であり、上層階と下層階との間の間隙でもあるため、層間と呼ばれる。
実施形態１に係る層間耐火材支持具１と耐火材７とで構成された層間耐火材部材９は、当該間隙６を塞ぐように設置されて、例えば下層階で火災が発生した際に、この間隙６を介した上層階への延焼を防ぐものである。
【０００９】
耐火材７は、例えば、可撓性を有したロックウール、グラスウール、シリカウール等である。
【００１０】
耐火材収容部８は、覆い部１０と、支持部２０とを備える。
【００１１】
覆い部１０は、床部２の端面３の長手方向に沿って延長して間隙６の上側開口６ａ（図２（ｂ）参照）を塞ぐとともに耐火材７の上側を覆うように、板面（下面）１０ｕが床部２の上面２ｔと同一水平面上又はほぼ同一水平面上に位置される平板により形成される。
覆い部１０の長手方向と直交する方向の幅の寸法Ｗ１は、間隙６の寸法Ｗ２よりも長い寸法に形成される。
そして、覆い部１０の長手方向と直交する方向の他端（終端）１０ｅ側は、板面（下面）１０ｕが床部２の上面２ｔに載置されて床部２に取付けられる取付部１９に形成される。
【００１２】
支持部２０は、覆い部１０の長手方向と直交する方向の一端１０ａより壁４の壁面５に沿って下方に延長した後に床部２の端面３に向けて覆い部１０に近づく方向に延長するように設けられて耐火材７を支持する板材により形成される。
具体的には、支持部２０は、覆い部１０の長手方向と直交する方向の一端１０ａより壁４の壁面５に沿って下方に延長する平板により形成された側板部２１と、側板部２１の下端２１ｕより床部２の端面３に向けて覆い部１０に近づく方向に延長する平板により形成された底板部２２とを備える。
側板部２１は、板面が、覆い部１０の板面に対して直角をなす面となる平板により形成される。
底板部２２は、板面が、側板部２１の板面に対して９０°よりも小さい角度α（鋭角）をなす面となる平板により形成される。
さらに、底板部２２は、延長端（終端）２２ｅが、床部２の端面３と接触しないように形成される。
【００１３】
層間耐火材支持具１は、例えばスチール等の金属薄板を板曲げ加工することにより形成される。
金属薄板を板曲げ加工することにより形成された層間耐火材支持具１によれば、薄板のばね効果（スプリングバック効果）により、床部２や壁４の動きに追従できるようになる。
【００１４】
図２に基づいて、層間耐火材部材９の設置方法を説明する。
図２（ａ）に示すように、層間耐火材支持具１の覆い部１０の長手方向と直交する他端（終端）１０ｅと支持部２０の延長端（終端）となる底板部２２の延長端２２ｅとの間の開口８ａから、覆い部１０と支持部２０（側板部２１と底板部２２）とで囲まれた耐火材収容部８の収容空間Ｓに、耐火材７を押し込んで挿入することにより、図２（ｂ）に示すように、耐火材収容部８に耐火材７が収容された層間耐火材部材９が構成される。
そして、図２（ｃ）に示すように、当該層間耐火材部材９の支持部２０を間隙６の上方から間隙６に挿入し、覆い部１０の取付部１９の板面（下面）１０ｕと床部２の上面２ｔとを糊などの接着剤で接着することにより、層間耐火材部材９が間隙６を覆うように設置される。
即ち、覆い部１０の長手方向と直交する方向の他端（終端）１０ｅ側が取付部１９として床部２の上面２ｔに載置されて床部２に取付けられる。
【００１５】
実施形態１に係る層間耐火材支持具１によれば、覆い部と支持部とを備えた耐火材収容部と、取付部とを備えた長尺な一体物であるので、設置の際の作業を容易に行え、かつ、薄板のばね効果（スプリングバック効果）により、振動時等において床部２や壁４の動きに追従でき、かつ、強度において優れた層間耐火材支持具１となる。
また、間隙６を塞ぐとともに耐火材７の上側を覆う覆い部１０を備えているので、上方側から耐火材７が目視されず、かつ、耐火材７の上にゴミや埃が溜ってしまうことを防止できる。
また、覆い部１０を形成する平板の板面上を掃除すればよいので、掃除も容易な層間耐火材支持具１となる。
また、覆い部１０の板面（下面）１０ｕが床部２の上面２ｔと同一平面上に位置される構成としたので、見栄えの良好な見切り材として機能させることができるようになるとともに、掃除もより容易になる。
また、耐火材収容部８は、支持部２０の延長端２２ｅと覆い部１０との間に開口８ａが形成された構成としたので、当該開口８ａを介して耐火材７を耐火材収容部８の収容空間Ｓに容易に挿入することができるようになり、耐火材収容部８に耐火材７が収容された層間耐火材部材９を容易に製作できるようになる。
【００１６】
実施形態２
図３に示すように、覆い部１０が、床部２の端面３及び上面２ｔよりも上方、即ち、端面３と上面２ｔとの境界縁３２よりも上方に位置するように構成された層間耐火材支持具１としてもよい。
この場合、覆い部１０は、床部２の端面３の長手方向及び上下方向に延長する平板により形成された床部側側板１１における床部２の端面３よりも上方に位置される上部分１２と、当該上部分１２の上端１２ｔより壁面５に近づく方向に延長する平板により形成された上板１３と、当該上板１３の延長端１３ａより壁面５に沿って下方に延長する平板により形成された壁側側板１４とで構成される。
そして、支持部２０は、床部側側板１１における床部２の端面３と対向する平板により形成された下部分２５と、下部分２５の下端２５ｕより壁面５に向けて覆い部１０に近づく方向に延長する平板により形成された底板部２６とを備えて構成される。
底板部２６は、板面が、下部分２５の板面に対して９０°よりも小さい角度α（鋭角）をなす面となる平板により形成される。
また、底板部２６は、延長端（終端）２６ｅが、壁面５と接触しないように形成される。
【００１７】
即ち、実施形態２に係る層間耐火材支持具１の耐火材収容部８は、床部２の端面３よりも上方に位置されて床部２の端面３の長手方向に沿って延長して間隙６の上側開口６ａを塞ぐとともに耐火材７の上側を覆う覆い部１０と、覆い部１０の長手方向と直交する方向の一端となる上部分１２の下端１２ｕ（上部分１２と下部分２５との境界）より床部２の端面３に沿って下方に延長した後に壁面５に向けて覆い部１０に近づく方向に延長するように設けられて耐火材７を支持する支持部２０とを備えた構成とした。
【００１８】
実施形態２の層間耐火材支持具１は、支持部２０を間隙６の上方から間隙６に挿入し、壁側側板１４の板面と壁面５とを面接触させた状態でビスなどの固定手段１８を、床部２の端面３よりも上方に位置させた覆い部１０の上部分１２、耐火材７、壁側側板１４に貫通させて壁４にねじ込むことにより、壁４に取付けられる。
即ち、覆い部１０の長手方向と直交する方向の他端側となる壁側側板１４が取付部１９として機能して壁４に取付けられる構成とした。
【００１９】
実施形態２の層間耐火材支持具１によれば、実施形態１と同じ効果が得られるともに、覆い部１０が、床部２の端面３よりも上方に位置される構成としたので、覆い部１０を巾木のように機能させることができるという効果が得られる。
【００２０】
実施形態３
実施形態２の変形例として、図４に示すように、覆い部１０が、床部２の端面３の長手方向及び上下方向に延長する平板により形成された床部側側板１１における床部２の端面３よりも上方に位置される上部分１２と、当該上部分１２の上端１２ｔより壁面５に近づく方向に延長する平板により形成された上板１３と、当該上板１３の延長端１３ａより壁面５に沿って上方に延長する平板により形成された壁側側板１５とを備えて構成され、取付部となる壁側側板１５の板面と壁面５とを面接触させた状態でビスなどの固定手段１８を、壁側側板１５に貫通させて壁４にねじ込むことにより、壁４に取付けられるように構成された層間耐火材支持具１としてもよい。
即ち、実施形態３の層間耐火材支持具１は、覆い部１０の長手方向と直交する方向の他端側となり、上板１３の延長端１３ａより壁面５に沿って上方に延長するように設けられた壁側側板１５が、取付部として機能して壁４に取付けられる構成とした。
つまり、実施形態３の層間耐火材支持具１は、実施形態２の層間耐火材支持具１の壁側側板１４の代わりに壁側側板１５を備えた構成としたものである。
実施形態３の層間耐火材支持具１によれば、実施形態２と同じ効果が得られる。
【００２１】
実施形態４
実施形態３の変形例として、図５に示すように、実施形態３と同じ構成の層間耐火材支持具１の壁側側板１５の板面と壁面５とを面接触させた状態でビスなどの固定手段１８を、壁側側板１４Ａに貫通させて壁４にねじ込むことにより、壁４に取付けられた状態において、覆い部１０の上板１３の板面としての上面１３ｔと床部２の上面２ｔとが同一水平面上に位置されるように構成された層間耐火材支持具１としてもよい。
実施形態４の層間耐火材支持具１によれば、実施形態１と同じ効果が得られる。
【００２２】
実施形態５
実施形態１の変形例として、覆い部１０の長手方向と直交する方向の他端（終端）側が取付部１９として床部２の上面２ｔに載置されて床部２に取付けられる構成において、覆い部１０が、床部２の端面３よりも上方に位置される構成の層間耐火材支持具１としてもよい。
即ち、この場合、図６に示すように、覆い部１０は、床部２の端面３の長手方向及び上下方向に延長する平板により形成されて板面が床部２の端面３よりも上方に位置される上板３１と、当該上板３１の他端３１ａより下方に延長して下端３３ｕが床部２の端面３と上面２ｔとの境界縁３２近傍の上面２ｔに接触する平板により形成された側板３３と、側板３３の下端３３ｕから床部２の上面２ｔに沿って延長する平板により形成された水平板３４とを備えて構成される。
そして、支持部２０は、上板３１の一端３１ｃより壁面５に沿って下方に延長する平板により形成された側板部３５と、側板部３５の下端３５ｕより床部２の端面３に向けて覆い部１０に近づく方向に延長する平板により形成された底板部３６とを備えて構成される。
底板部３６は、板面が、側板部３５の板面に対して９０°よりも小さい角度α（鋭角）をなす面となる平板により形成される。
また、底板部３６は、延長端（終端）３６ｅが、床部２の端面３と接触しないように形成される。
【００２３】
即ち、実施形態２に係る層間耐火材支持具１は、耐火材収容部８が、床部２の端面３の長手方向に沿って延長して床部２の端面３よりも上方に位置されて間隙６の上側開口を塞ぐとともに耐火材７の上側を覆う覆い部１０と、覆い部１０の長手方向と直交する方向の一端となる上板３１の一端３１ｃより壁面５に沿って下方に延長した後に床部２の端面３に向けて覆い部１０に近づく方向に延長するように設けられて耐火材７を支持する支持部２０とを備え、覆い部１０の長手方向と直交する方向の他端側となる水平板３４が取付部１９として機能して床部２に取付けられる構成とした。
実施形態５の層間耐火材支持具１によれば、実施形態２と同じ効果が得られる。
【００２４】
実施形態６
例えば、図７乃至図９に示すように、耐火材収容部８と取付部１９とを備えた層間耐火材支持具１において、耐火材７を収容する耐火材収容部８が、覆い部１０と支持部２０とを備え、支持部２０の延長端２０ｅが覆い部１０に接触又は接続された構成としてもよい。
換言すれば、層間耐火材支持具１の長手方向と直交する断面において、耐火材７が収容される耐火材収容部８の収容空間は、長手方向の両端開口以外が閉塞された構成としてもよい。
実施形態６の層間耐火材支持具１によれば、耐火材収容部８の長手方向の両端開口を介して耐火材収容部８の収容空間内に耐火材７を挿入することにより、層間耐火材部材９が構成される。
【００２５】
この場合、耐火材収容部８における長手方向と直交する断面形状としては、図７に示すような台形形状、図８に示すような半楕円形形状、図９に示すような楕円形形状等、どのような形状であっても構わない。
尚、図７乃至図９では、実施形態１の層間耐火材支持具１の形態において耐火材収容部８の断面形状を変更した例を示したが、実施形態２乃至実施形態５の層間耐火材支持具１の形態において耐火材収容部８の断面形状を図７乃至図９等に示したように変更してもよいことはもちろんである。
実施形態６の層間耐火材支持具１によれば、耐火材７に火が直接届き難くなるので、耐火性能を向上できる。
【００２６】
尚、取付部１９を床部２にビスなどの固定手段１８で取付けるようにしてもよいし、取付部１９を壁４に接着剤で取付けるようにしてもよい。
【００２７】
また、支持部２０は、覆い部の長手方向と直交する方向の一端より下方に延長する平板（例えば側板部２１）と、当該平板の下端より床部２の端面３又は壁面５に向けて延長する平板（例えば底板部２２）とを備えた構成であればよい。即ち、支持部２０を構成する当該平板と平板とのなす角度αは、９０度°以上（鈍角）であってもよい。
【００２８】
また、層間耐火材支持具１は、金属以外の例えばセラミック等の耐火性を有した材料ににより形成してもよい。
【符号の説明】
【００２９】
１  層間耐火材支持具、２  床部、３  床部の端面、４  壁、５  壁面、６  間隙、
７  耐火材、８  耐火材収容部、１０  覆い部、１９  取付部、２０  支持部。
【図１】
2020139268.tif 000003
【図２】
2020139268.tif 000004
【図３】
2020139268.tif 000005
【図４】
2020139268.tif 000006
【図５】
2020139268.tif 000007
【図６】
2020139268.tif 000008
【図７】
2020139268.tif 000009
【図８】
2020139268.tif 000010
【図９】
2020139268.tif 000011